(57)【要約】【課題】  買い物篭をカートとカウンタ台との間で簡単に移動させることができ、カウンタ台上で買い物篭を移動させるにも力を必要としないカート装置を提供すること。【解決手段】  買い物篭１の下面に車輪３を装着し、カート２の篭設置台１０に、車輪３が載置される平板１２を幅方向に沿って配設し、篭設置台１０の一側方の止め具１６を起倒可能とし、止め具１６に、これを外方へ倒した時、平板１２から延長するブリッジ板１８を設ける。【選択図】          図２
2005278811.tif 000002
【特許請求の範囲】
【請求項１】
買い物篭と、下端に走行輪が装着され、上部に前記買い物篭を載置可能な篭設置台が設けられると共に、該篭設置台の四方に前記買い物篭の滑落を防ぐ止め具がそれぞれ設けられたカートとから成るカート装置において、前記買い物篭の下面に車輪が装着され、前記篭設置台に、前記車輪を載置する平板が幅方向に沿って配設され、前記篭設置台の一側方の止め具は起倒可能とし、該一側方の止め具には、これを倒した時、前記平板から外側へ延長するブリッジ板が設けられたことを特徴とするカート装置。
【請求項２】
前記一側方の止め具は、起立状態から上方へ引き出して、倒すことが可能な請求項１に記載のカート装置。
【発明の詳細な説明】
【技術分野】
【０００１】
本発明は、スーパーマーケット等において、買おうとする品物を入れる買い物篭と、この買い物篭を搬送するカートとから成るカート装置に関する。
【背景技術】
【０００２】
スーパーマーケット等において、買い物中に大量の品物を入れた買い物篭は重くなり、特に野菜や液体を入れると５〜９ｋｇにも達し、手で持ち運ぶのは困難なため、カートに乗せて搬送するのが一般的である。
ところが、支払いをする際に、この重い買い物篭をカートから持ち上げてチェックアウトカウンターに移動させ、さらに支払い終了後に、買い物篭をチェックアウトカウンターからカートに戻さなければならず、この作業が主婦の力では非常な負担となっていた。
【０００３】
これを解消するものとして、先端部が下向傾斜する載置台と、前上方に傾斜すると共に、載置台の下面よりもやや下位とした篭載せ枠を有するショッピングカートとから成る買物篭の移載装置が提案されている（特許文献１参照）。
この移載装置によれば、載置台の一端側にショッピングカートを設置し、篭載せ枠から買物篭を滑らせて載置台に移動させ、支払いが終了した後、ショッピングカートを載置台の他端側へ移動させて向きを逆にし、載置台から篭載せ台上に再び買物篭を移動することによって、買物篭を持ち上げる必要がなくなる。
しかし、一般的なスーパーマーケットでは、載置台の周囲のスペースが非常に狭く、人や品物で混雑していることも多いので、ショッピングカートの向きを変えるのは困難である。
【０００４】
また、買い物篭台を、平滑板またはローラを有するものとすることにより、買い物篭台の表面の摩擦係数を小さくして、重い買い物篭を楽にチェックアウトカウンターに下ろすことができるショッピングカートが知られている（特許文献２）。
しかし、このショッピングカートでは、チェックアウトカウンターに接するよう設置しないと、チェックアウトカウンターと買い物篭台との間に隙間があいて、買い物篭を移動させることができない。さらに、買い物篭もチェックアウトカウンターも一般的なものであるため、チェックアウトカウンター上で重い買い物篭を移動するのに力を要した。
【０００５】
【特許文献１】特開平２−２１８３１３号公報
【特許文献２】特開平７−１４９２３８号公報
【発明の開示】
【発明が解決しようとする課題】
【０００６】
本発明が解決しようとする課題は、カートとカウンタ台との間に隙間があっても、止め具を倒して買い物篭を側方へ滑らせるだけで、カートからカウンタ台へ、また、カウンタ台からカートへ簡単に移動させることができ、カウンタ台上において買い物篭を移動させるにも力を必要としないカート装置を提供することにある。
【課題を解決するための手段】
【０００７】
本発明のカート装置は、買い物篭と、下端に走行輪が装着され、上部に前記買い物篭を載置可能な篭設置台が設けられると共に、該篭設置台の四方に前記買い物篭の滑落を防ぐ止め具がそれぞれ設けられたカートとから成り、前記買い物篭の下面に車輪が装着され、前記篭設置台に、前記車輪を載置する平板が幅方向に沿って配設され、前記篭設置台の一側方の止め具は起倒可能とし、該一側方の止め具には、これを倒した時、前記平板から外側へ延長するブリッジ板が設けられている。
前記一側方の止め具は、起立状態から上方へ引き出して、倒すことを可能としても良い。
【発明の効果】
【０００８】
請求項１に係る発明によれば、カートをカウンタ台の側方に設置して一側方の止め具を倒すと、カートとカウンタ台との間に透き間があいていても、篭設置台の平板と止め具のブリッジ板が同一平面上に並んでカウンタ台に達するので、買い物篭を側方へ押すだけで、その車輪が平板及びブリッジ板上を走行して、篭設置台とカウンタ台との間を簡単に移動することができ、重い買い物篭を持ち上げて移す必要が無い。
また、買い物篭の下面には車輪が装着されているので、通常のカウンタ台上であっても容易に移動させることができる。
請求項２に係る発明によれば、一側方の止め具を起立状態から長く引き出して倒すことができるので、カウンタ台とカートとの距離が離れていても、確実に篭載置台とカウンタ台とを連絡することが可能である。
【発明を実施するための最良の形態】
【０００９】
以下、本発明の実施例を図面に基づいて詳細に説明する。
本発明のカート装置は、図１及び図２に示すように、買い物篭１と、この買い物篭１を搬送するためのカート２とから成る。
買い物篭１の本体部は、スーパーマーケット等において一般的に用いられているものと同様の構成を有し、図６に示すように、その下面四隅部に車輪３がそれぞれ装着されている。
車輪３は球形であって、買い物篭１の下面に固定された支持筒４の内部に回動自在に、且つ、その下半部が露出するよう支持され、買い物篭１がどの方向にも走行できるようになっている。
また、買い物篭１の底面は、重い荷物を収納したときに大きく撓んで、車輪３の走行を阻害することがない程度の強度を有する。
【００１０】
図３及び図４に示すように、カート２の下部には、予備の載置台５が設けられ、ここに荷物や買い物篭１を置くことができるようになっている。
載置台５の四隅部にはそれぞれ支脚６が取り付けられ、各支脚６の下端に走行輪７が装着される。
後部左右の支脚６は上方へ延長されて支柱８となっており、左右の支柱８の上端間にハンドル９が架設されている。
【００１１】
左右の支柱８の中間部から前方に向けて、買い物篭１を載置可能な篭設置台１０が張り出される。篭設置台１０は、予備の載置台５の上方に、これと平行に配設される。
篭設置台１０は、四角形の枠１１の前後部に、買い物篭１の車輪３が載置される平板１２をそれぞれ幅方向に沿って掛け渡して成る。枠１１は、載置台５と同じ平面形状を有する。
平板１２は、金属等を素材とし、品物を収納した買い物篭１は通常１０ｋｇ以下であるため、１５ｋｇの積載荷重に耐えられる程度の強度とする。
【００１２】
また、篭設置台１０の四方には、買い物篭１が滑落するのを防ぐための止め具１３，１４，１５，１６がそれぞれ立設される。
篭設置台１０の後方に設けられた止め具１３は、左右の支柱８間に架設された柵より成り、前方に設けられた止め具１４は、枠１１の前端中央部に立設された逆Ｕ字状の棒材より成る。
また、篭設置台１０の右方に設けられた止め具１５は、支柱８の上部寄りから枠１１の前端に向かって緩やかな勾配で斜めに架設された棒材より成る。
【００１３】
篭設置台１０の左方に設けられた止め具１６は、三角枠１７と、その表面前後部にそれぞれ張り渡したブリッジ板１８と、下枠１９とから成る。
三角枠１７は、先端側が細い三角形をなし、その前後寸法は、篭設置台１０の枠１１の前後寸法よりも僅かに狭く形成される。
ブリッジ板１８は、金属等を素材とし、平板１２とほぼ同幅で、同程度の強度を有する。また、前後のブリッジ板１８は、ほぼ同形の矩形に形成され、それぞれ三角枠１７から下方に張り出しており、前後のブリッジ板１８の裏面間には、下縁に沿って下枠１９が架設されている。
【００１４】
篭設置台１０には、枠１１の左側辺には狭いスリット２０が形成され、前後の平板１２の間において、枠１１の左側辺中央部に、扁平な筒体２１が下方に向けて装着されている。
筒体２１の幅は、前後のブリッジ板１８間の距離よりやや狭く、筒体２１の高さは、三角枠１７の下端から下枠１９までの距離とほぼ同じくされている。
そして、止め具１６の下部が篭設置台１０のスリット２０に摺動自在に係合されると共に、図５に示すように、下枠１９の中間部（ブリッジ板１８の間）が筒体２１内に摺動自在に係合されている。
【００１５】
従って、図３及び図５に示すように、止め具１６を起立させて押し下げると、下枠１９が筒体２１の下端に達すると共に、三角枠１７の下端が筒体２１の上端に当接して、止め具１６が篭設置台１０の左方に立設される。
図１に示すように、この状態でカート２の篭設置台１０に買い物篭１を載せ、車輪３を平板１２に載置すると、篭設置台１０の四方は止め具１３，１４，１５，１６で囲まれるので、買い物篭１を滑落することなく搬送することができる。
【００１６】
一方、買い物篭１を載せたカート２をカウンタ台の右側に設置してから、図２及び図４に示すように、止め具１６を引き上げて、下枠１９を筒体２１の上端まで摺動させ、その後、止め具１６を外方へ倒すと、篭設置台１０の枠１１の左辺に当たって、止め具１６は枠１１と同じ角度で支持される。
すると、篭設置台１０の左方が開放されると共に、止め具１６のブリッジ板１８が篭設置台１０の平板１２から延長して、カウンタ台に達する。
【００１７】
このように止め具１６を倒すと、買い物篭１を側方へ押すだけで、車輪３が連続した平板１２及びブリッジ板１８上を走行することにより、カート２の篭設置台１０からカウンタ台へ、或いは、カウンタ台から篭設置台１０へ移動させることができる。
止め具１６は、起立した状態よりも長く引き出して倒すことができるので、カウンタ台とカート２との間が比較的離れていても、カウンタ台とカート２の平板１２とがブリッジ板１８で接続される。
カウンタ台とカート２とが接近している場合であっても、倒した止め具１６をカウンタ台の上に重ねれば良い。
【００１８】
なお、買い物篭及びカートの構造は図示のものに限定されない。
例えば、買い物篭の下面に装着した車輪は、球形とせず、通常のタイヤ型とすることができる。
また、カートの前後方及び右方に設ける止め具は、買い物篭の滑落を防ぐものであればどのような構造であっても良い。
さらに、カウンタ台がカート通路の右側に設置されている場合は、右方の止め具を起倒可能とする。
【図面の簡単な説明】
【００１９】
【図１】本発明の実施例を示すカート装置の斜視図。
【図２】本発明の実施例を示すカート装置の買い物篭移動時における斜視図。
【図３】本発明の実施例に係るカートの止め具起立時における斜視図。
【図４】本発明の実施例に係るカートの止め具立設時における斜視図。
【図５】本発明の実施例に係るカートの要部斜視図。
【図６】本発明の実施例に係る買い物篭の下面から見た斜視図。
【符号の説明】
【００２０】
１  買い物篭
２  カート
３  車輪
４  支持筒
５  載置台
６  支脚
７  走行輪
８  支柱
９  ハンドル
１０  篭設置台
１１  枠
１２  平板
１３，１４，１５，１６  止め具
１７  三角枠
１８  ブリッジ板
１９  下枠
２０  スリット
２１  筒体
【図１】
2005278811.tif 000003
【図２】
2005278811.tif 000004
【図３】
2005278811.tif 000005
【図４】
2005278811.tif 000006
【図５】
2005278811.tif 000007
【図６】
2005278811.tif 000008